【手続補正書】
【提出日】令和3年3月11日(2021.3.11)
【手続補正１】
【補正対象書類名】特許請求の範囲
【補正対象項目名】全文
【補正方法】変更
【補正の内容】
【特許請求の範囲】
【請求項１】
眼鏡内に配置される導波管ディスプレイであって、前記導波管ディスプレイは、
入力データを第１のプロジェクタから受信するように動作可能である第１の回折入力導波管と、
入力データを第２のプロジェクタから受信するように動作可能である第２の回折入力導波管と、
前記第１の回折入力導波管および前記第２の回折入力導波管に光学的に結合され、中心法線を有する回折出力導波管であって、前記回折出力導波管は、
前記第１のプロジェクタと関連付けられた画像データを前記中心法線に対して変位される第１の視野に向かって指向することと、
前記第２のプロジェクタと関連付けられた画像データを前記中心法線に対して変位される第２の視野に向かって指向することと
を行うように動作可能である、回折出力導波管と
を備える、導波管ディスプレイ。
【請求項２】
前記第１の視野および前記第２の視野は、タイル状にされ、前記中心法線は、前記第１の視野および前記第２の視野のそれぞれの境界を通して通過する、請求項１に記載の導波管ディスプレイ。
【請求項３】
前記第１のプロジェクタと関連付けられた画像データは、第１の屈折力によって特徴付けられる第１の波面を有し、
前記第２のプロジェクタと関連付けられた画像データは、前記第１の屈折力と異なる第２の屈折力によって特徴付けられる第２の波面を有する、
請求項１に記載の導波管ディスプレイ。
【請求項４】
前記第１の回折入力導波管に光学的に結合される第１の入力結合要素と、前記第２の回折入力導波管に光学的に結合される第２の入力結合要素とをさらに備える、請求項１に記載の導波管ディスプレイ。
【請求項５】
前記第１の入力結合要素、前記第１の回折入力導波管、前記第２の入力結合要素、前記第２の回折入力導波管、および前記回折出力導波管は、同一平面にある、請求項４に記載の導波管ディスプレイ。
【請求項６】
前記第１の回折入力導波管は、前記回折出力導波管の第１の側上に配置され、前記第２の回折入力導波管は、前記回折出力導波管の反対側上に配置される、請求項１に記載の導波管ディスプレイ。
【請求項７】
眼鏡内に配置される導波管ディスプレイであって、前記導波管ディスプレイは、
入力データを第１のプロジェクタから受信するように動作可能である第１の回折入力導波管と、
入力データを第２のプロジェクタから受信するように動作可能である第２の回折入力導波管と、
前記第１の回折入力導波管および前記第２の回折入力導波管に光学的に結合される回折出力導波管であって、前記回折出力導波管は、
第１の屈折力によって特徴付けられる第１の波面を有する第１の画像ビームを形成することと、
前記第１の屈折力と異なる第２の屈折力によって特徴付けられる第２の波面を有する第２の画像ビームを形成することと
を行うように動作可能である、回折出力導波管と
を備える、導波管ディスプレイ。
【請求項８】
前記第１の屈折力は、正であり、前記第２の屈折力は、負である、請求項７に記載の導波管ディスプレイ。
【請求項９】
前記回折出力導波管は、放出平面によって特徴付けられ、
前記第１の画像ビームは、発散波面と、前記放出平面に対して法線方向の中心光線とを備え、
前記第２の画像ビームは、収束波面と、前記放出平面に対して法線方向の中心光線とを備える、
請求項８に記載の導波管ディスプレイ。
【請求項１０】
前記第１の画像ビームおよび前記第２の画像ビームは、共線である、請求項７に記載の導波管ディスプレイ。
【請求項１１】
前記第１の回折入力導波管に光学的に結合される第１の入力結合要素と、前記第２の回折入力導波管に光学的に結合される第２の入力結合要素とをさらに備える、請求項７に記載の導波管ディスプレイ。
【請求項１２】
前記第１の入力結合要素、前記第１の回折入力導波管、前記第２の入力結合要素、前記第２の回折入力導波管、および前記回折出力導波管は、同一平面にある、請求項１１に記載の導波管ディスプレイ。
【請求項１３】
眼鏡内に配置される導波管ディスプレイであって、前記導波管ディスプレイは、
第１の視野によって画定された第１の画像を投影するように動作可能である第１の瞳エクスパンダアセンブリと、
前記第１の瞳エクスパンダアセンブリに隣接して配置され、前記第１の視野と異なる第２の視野によって画定された第２の画像を投影するように動作可能である第２の瞳エクスパンダアセンブリと
を備える、導波管ディスプレイ。
【請求項１４】
前記第１の瞳エクスパンダアセンブリおよび前記第２の瞳エクスパンダアセンブリは、前記眼鏡の右レンズフレーム内に配置される、請求項１３に記載の導波管ディスプレイ。
【請求項１５】
前記右レンズフレームは、鼻領域と、周辺領域と、前記鼻領域と前記周辺領域との間に配置される中心とを有し、前記第１の視野は、前記中心と前記鼻領域との間の位置に中心合わせされる、請求項１４に記載の導波管ディスプレイ。
【請求項１６】
前記第２の視野は、前記中心と前記周辺領域との間の位置に中心合わせされる、請求項１５に記載の導波管ディスプレイ。
【請求項１７】
前記第１の視野および前記第２の視野は、タイル状にされる、請求項１３に記載の導波管ディスプレイ。
【請求項１８】
前記第１の視野の一部は、前記第２の視野の一部と重複する、請求項１３に記載の導波管ディスプレイ。
【請求項１９】
前記第１の瞳エクスパンダアセンブリは、
画像データを第１のプロジェクタから受信するように動作可能である入力結合要素と、
前記入力結合要素に光学的に結合される直交瞳エクスパンダと、
前記直交瞳エクスパンダに光学的に結合される射出瞳エクスパンダと
を備える、請求項１３に記載の導波管ディスプレイ。
【請求項２０】
前記第１の瞳エクスパンダアセンブリは、放出平面によって特徴付けられ、前記射出瞳エクスパンダは、光を前記放出平面に対して非ゼロ角度で放出するように動作可能である、請求項１９に記載の導波管ディスプレイ。
【手続補正２】
【補正対象書類名】明細書
【補正対象項目名】００１０
【補正方法】変更
【補正の内容】
【００１０】
多数の利点が、従来の技法に優る本発明の方法によって達成される。例えば、本発明の実施形態は、ディスプレイの視野を増加させ、ユーザ体験を改良するために使用され得る、方法およびシステムを提供する。ある実施形態では、複数の深度平面が、ディスプレイによって生産され、立体画像の生成をもたらす。本発明のこれらおよび他の実施形態は、その利点および特徴の多くとともに、下記の文章および添付の図と併せてより詳細に説明される。
本発明は、例えば、以下を提供する。
（項目１）
眼鏡内に配置される導波管ディスプレイであって、前記導波管ディスプレイは、
第１の視野によって画定された第１の画像を投影するように動作可能である第１の瞳エクスパンダアセンブリと、
前記第１の瞳エクスパンダアセンブリに隣接して配置され、前記第１の視野と異なる第２の視野によって画定された第２の画像を投影するように動作可能である第２の瞳エクスパンダアセンブリと
を備える、導波管ディスプレイ。
（項目２）
前記第１の瞳エクスパンダアセンブリおよび前記第２の瞳エクスパンダアセンブリは、前記眼鏡の右レンズフレーム内に配置される、項目１に記載の導波管ディスプレイ。
（項目３）
前記右レンズフレームは、鼻領域と、周辺領域と、前記鼻領域と前記周辺領域との間に配置される中心とを有し、前記第１の視野は、前記中心と前記鼻領域との間の位置に中心合わせされる、項目２に記載の導波管ディスプレイ。
（項目４）
前記第２の視野は、前記中心と前記周辺領域との間の位置に中心合わせされる、項目３に記載の導波管ディスプレイ。
（項目５）
前記第１の視野および前記第２の視野は、タイル状にされる、項目１に記載の導波管ディスプレイ。
（項目６）
前記第１の視野の一部は、前記第２の視野の一部と重複する、項目１に記載の導波管ディスプレイ。
（項目７）
前記第１の瞳エクスパンダアセンブリは、
画像データを第１のプロジェクタから受信するように動作可能である入力結合要素と、
前記入力結合要素に光学的に結合される直交瞳エクスパンダと、
前記直交瞳エクスパンダに光学的に結合される射出瞳エクスパンダと
を備える、項目１に記載の導波管ディスプレイ。
（項目８）
前記第１の瞳エクスパンダアセンブリは、放出平面によって特徴付けられ、前記射出瞳エクスパンダは、光を前記放出平面に対して非ゼロ角度で放出するように動作可能である、項目７に記載の導波管ディスプレイ。
（項目９）
眼鏡内に配置される導波管ディスプレイであって、前記導波管ディスプレイは、
入力データを第１のプロジェクタから受信するように動作可能である第１の回折入力導波管と、
入力データを第２のプロジェクタから受信するように動作可能である第２の回折入力導波管と、
前記第１の回折入力導波管および前記第２の回折入力導波管に光学的に結合され、中心法線を有する回折出力導波管であって、前記回折出力導波管は、
第１のプロジェクタと関連付けられた画像データを前記中心法線に対して変位される第１の視野に向かって指向することと、
第２のプロジェクタと関連付けられた画像データを前記中心法線に対して変位される第２の視野に向かって指向することと
を行うように動作可能である、回折出力導波管と
を備える、導波管ディスプレイ。
（項目１０）
前記第１の視野および前記第２の視野は、タイル状にされ、前記中心法線は、前記第１の視野および前記第２の視野のそれぞれの境界を通して通過する、項目９に記載の導波管ディスプレイ。
（項目１１）
前記第１のプロジェクタと関連付けられた画像データは、第１の屈折力によって特徴付けられる第１の波面を有し、
前記第２のプロジェクタと関連付けられた画像データは、前記第１の屈折力と異なる第２の屈折力によって特徴付けられる第２の波面を有する、
項目９に記載の導波管ディスプレイ。
（項目１２）
前記第１の回折入力導波管に光学的に結合される第１の入力結合要素と、前記第２の回折入力導波管に光学的に結合される第２の入力結合要素とをさらに備える、項目９に記載の導波管ディスプレイ。
（項目１３）
前記第１の入力結合要素、前記第１の回折入力導波管、前記第２の入力結合要素、前記第２の回折入力導波管、および前記回折出力導波管は、同一平面にある、項目１２に記載の導波管ディスプレイ。
（項目１４）
前記第１の回折入力導波管は、前記回折出力導波管の第１の側上に配置され、前記第２の回折入力導波管は、前記回折出力導波管の反対側上に配置される、項目９に記載の導波管ディスプレイ。
（項目１５）
眼鏡内に配置される導波管ディスプレイであって、前記導波管ディスプレイは、
入力データを第１のプロジェクタから受信するように動作可能である第１の回折入力導波管と、
入力データを第２のプロジェクタから受信するように動作可能である第２の回折入力導波管と、
前記第１の回折入力導波管および前記第２の回折入力導波管に光学的に結合される回折出力導波管であって、前記回折出力導波管は、
第１の屈折力によって特徴付けられる第１の波面を有する第１の画像ビームを形成することと、
前記第１の屈折力と異なる第２の屈折力によって特徴付けられる第２の波面を有する第２の画像ビームを形成することと
を行うように動作可能である、回折出力導波管と
を備える、導波管ディスプレイ。
（項目１６）
前記第１の屈折力は、正であり、前記第２の屈折力は、負である、項目１５に記載の導波管ディスプレイ。
（項目１７）
前記回折出力導波管は、放出平面によって特徴付けられ、
前記第１の画像ビームは、発散波面と、前記放出平面に対して法線方向の中心光線とを備え、
前記第２の画像ビームは、収束波面と、前記放出平面に対して法線方向の中心光線とを備える、
項目１６に記載の導波管ディスプレイ。
（項目１８）
前記第１の画像ビームおよび前記第２の画像ビームは、共線である、項目１５に記載の導波管ディスプレイ。
（項目１９）
前記第１の回折入力導波管に光学的に結合される第１の入力結合要素と、前記第２の回折入力導波管に光学的に結合される第２の入力結合要素とをさらに備える、項目１５に記載の導波管ディスプレイ。
（項目２０）
前記第１の入力結合要素、前記第１の回折入力導波管、前記第２の入力結合要素、前記第２の回折入力導波管、および前記回折出力導波管は、同一平面にある、項目１９に記載の導波管ディスプレイ。